(57)【特許請求の範囲】
【請求項１】
第１ハウジングと、
前記第１ハウジングに対して着脱可能とされ、前記第１ハウジングに取り付けた状態では待機位置と嵌合位置との間での変位を可能とされたレバーと、
カムフォロアを有する第２ハウジングとを備えてなり、
待機位置にある前記レバーのカム溝に前記カムフォロアを進入させつつ前記両ハウジングを浅く嵌合した状態から、前記レバーを嵌合位置まで変位させることで、前記カム溝と前記カムフォロアとの係合によるカム作用により前記両ハウジングが嵌合されるようになっているレバー式コネクタにおいて、
前記第１ハウジングと前記第２ハウジングのうち一方のハウジングには、ロックアームが撓み変形可能に設けられ、
前記第１ハウジングと前記第２ハウジングのうち他方のハウジングにはロック部が形成され、
嵌合状態の前記両ハウジングが、前記ロックアームと前記ロック部との係止により離脱規制状態にロックされるようになっており、
前記レバーと前記ロックアームには、嵌合位置にある前記レバーの操作に伴なって前記ロックアームをロック解除方向へ変位させて前記ロック部から解離させるロック解除手段が設けられ、
前記レバーには、同レバーが嵌合位置にあるときに待機位置への戻り操作を規制された状態で前記両ハウジングを離脱規制状態にロックするレバーロックアームが撓み変形可能に設けられ、
前記ロック解除手段は、前記レバーが嵌合位置にある状態から前記レバーロックアームの解除操作がなされることで、このレバーロックアームが弾性変位するとともに、前記レバーロックアームの撓み動作に連動して、前記ロックアームをロック解除方向へ変位させる構成とされることを特徴とするレバー式コネクタ。
【請求項２】
前記ロック部は、前記レバーが嵌合位置にあるときに前記ロックアームと前記レバーロックアームの両者に係止され、これらに共通使用されることを特徴とする請求項１に記載のレバー式コネクタ。
【請求項３】
前記レバーは、待機位置と嵌合位置との間を前記ロック解除方向と直交する方向に回動可能とされ、
前記レバーが嵌合位置にあるときには、前記レバーロックアームと前記ロックアームとが前記ロック解除方向と直交する方向に並んで配されるとともに、前記レバーロックアームに張り出し形成されたロック解除操作片が前記ロックアームと前記ロック解除方向で重なり合うように配置され、
前記ロック解除操作片を前記ロックアーム側へ押し操作することで、前記レバーロックアームの解除操作がなされることを特徴とする請求項１または請求項２に記載のレバー式コネクタ。
【請求項４】
前記第１ハウジングにはレバー収容凹部が凹設されており、前記レバーは前記レバー収容凹部の内面に形成された支持軸に回動可能に支持されることを特徴とする請求項３に記載のレバー式コネクタ。
【請求項５】
前記第１ハウジングには、前記レバーが嵌合位置にあるときに前記ロック解除操作片を外側から覆う保護壁が設けられていることを特徴とする請求項３または請求項４に記載のレバー式コネクタ。
【発明の詳細な説明】
【技術分野】
【０００１】
本発明は、レバー式コネクタに関するものである。
【背景技術】
【０００２】
従来、レバー式コネクタとして、特許文献１に記載されているものがある。これは、第１ハウジングに、待機位置と嵌合位置との間で変位するようにレバーが取り付けられ、第２ハウジングにはカムフォロアが設けられており、レバーを待機位置に保持した状態で両ハウジングを浅く嵌合させることによりカムフォロアをレバーのカム溝に進入させ、その状態からレバーを嵌合位置まで変位させることで、カム溝とカムフォロアとの係合によるカム作用により両ハウジングが嵌合され、両ハウジングの端子金具同士が接続されるようになっている。両ハウジングが嵌合されると、レバーと第１ハウジングに設けたロック手段により、嵌合位置のレバーが待機位置へ戻らないようにロックされ、レバーがロックされることで、両ハウジングが嵌合状態にロックされる。
【特許文献１】特開平８−７８０９１号公報
【発明の開示】
【発明が解決しようとする課題】
【０００３】
既存のレバー式コネクタと端子金具同士の接続構造が共通であって、レバーによる嵌合手段を有しない形態のコネクタが要望された場合、レバーを有するハウジングとレバーを有しないハウジングを、夫々、専用ハウジングとして別々に製造しようとすると、ハウジング成型のために２種類の金型が必要となり、コストが高くなる。  
コストアップを回避する手段としては、既存のレバー式コネクタにおいてレバーを外すことで、レバー無しのタイプとして流用することが考えられる。しかし、従来のレバー式コネクタでは、両ハウジングを嵌合状態にロックする手段としてレバーのロック手段と第１ハウジングのロック手段を係合させるようになっていたため、レバーを第１ハウジングから外してしまうと、両ハウジングを嵌合状態にロックさせることはできない。  
本発明のレバーコネクタは上記のような事情に基づいて完成されたものであって、レバー無しのコネクタとして兼用できるとともに、レバー無しの状態でもハウジング同士を嵌合状態にロックできるようにすることを目的とする。
【課題を解決するための手段】
【０００４】
上記の目的を達成するための手段として、請求項１の発明は、第１ハウジングと、前記第１ハウジングに対して着脱可能とされ、前記第１ハウジングに取り付けた状態では待機位置と嵌合位置との間での変位を可能とされたレバーと、カムフォロアを有する第２ハウジングとを備えてなり、待機位置にある前記レバーのカム溝に前記カムフォロアを進入させつつ前記両ハウジングを浅く嵌合した状態から、前記レバーを嵌合位置まで変位させることで、前記カム溝と前記カムフォロアとの係合によるカム作用により前記両ハウジングが嵌合されるようになっているレバー式コネクタにおいて、前記第１ハウジングと前記第２ハウジングのうち一方のハウジングには、ロックアームが撓み変形可能に設けられ、前記第１ハウジングと前記第２ハウジングのうち他方のハウジングにはロック部が形成され、嵌合状態の前記両ハウジングが、前記ロックアームと前記ロック部との係止により離脱規制状態にロックされるようになっており、前記レバーと前記ロックアームには、嵌合位置にある前記レバーの操作に伴なって前記ロックアームをロック解除方向へ変位させて前記ロック部から解離させるロック解除手段が設けられ、前記レバーには、同レバーが嵌合位置にあるときに待機位置への戻り操作を規制された状態で前記両ハウジングを離脱規制状態にロックするレバーロックアームが撓み変形可能に設けられ、前記ロック解除手段は、前記レバーが嵌合位置にある状態から前記レバーロックアームの解除操作がなされることで、このレバーロックアームが弾性変位するとともに、前記レバーロックアームの撓み動作に連動して、前記ロックアームをロック解除方向へ変位させる構成とされるところに特徴を有する。
【００１０】
請求項２の発明は、請求項１に記載のものにおいて、前記ロック部は、前記レバーが嵌合位置にあるときに前記ロックアームと前記レバーロックアームの両者に係止され、これらに共通使用されるところに特徴を有する。
【００１１】
請求項３の発明は、請求項１または請求項２に記載のものにおいて、前記レバーは、待機位置と嵌合位置との間を前記ロック解除方向と直交する方向に回動可能とされ、前記レバーが嵌合位置にあるときには、前記レバーロックアームと前記ロックアームとが前記ロック解除方向と直交する方向に並んで配されるとともに、前記レバーロックアームに張り出し形成されたロック解除操作片が前記ロックアームと前記ロック解除方向で重なり合うように配置され、前記ロック解除操作片を前記ロックアーム側へ押し操作することで、前記レバーロックアームの解除操作がなされるところに特徴を有する。
【００１２】
請求項４の発明は、請求項３に記載のものにおいて、前記第１ハウジングにはレバー収容凹部が凹設されており、前記レバーは前記レバー収容凹部の内面に形成された支持軸に回動可能に支持されるところに特徴を有する。
請求項５の発明は、請求項３または請求項４に記載のものにおいて、前記第１ハウジングには、前記レバーが嵌合位置にあるときに前記ロック解除操作片を外側から覆う保護壁が設けられているところに特徴を有する。
【発明の効果】
【００１３】
＜請求項１の発明＞
レバーを第１ハウジングに取り付けた状態で両ハウジングを嵌合すると、ロックアームとロック部との係止により両ハウジングが嵌合状態にロックされる。レバーを第１ハウジングから外した状態で両ハウジングを嵌合した場合も、ロックアームとロック部との係止により両ハウジングが嵌合状態にロックされる。本発明のレバーコネクタは、レバー無しのコネクタとして兼用できるとともに、レバー無しの状態でもハウジング同士を嵌合状態にロックすることができる。
また、レバーを用いて両ハウジングを嵌合した状態においては、レバーを操作するだけでロックアームによるロックを解除することができるので、レバーの操作とは別にロックアームをロック解除させる操作を行う必要がなく、作業性に優れている。
しかも、レバーが嵌合位置に至ると、ロックアームに加えてレバーロックアームが両ハウジングを離脱規制状態にロックするから、ロックアームのみでロックする場合に比べ、両ハウジング間の係止力を高めることができる。
また、レバーロックアームのロック解除操作を行うことでレバーロックアームとともにロックアームをロック解除することができるので、ロックアームのロック解除操作を独立して行う必要がない。
【００１９】
＜請求項２の発明＞
レバーが嵌合位置に至ると、ロックアームとレバーロックアームとが共にロック部に弾性的に係止し、両ハウジングを離脱規制状態にロックする。ロック部がロックアームとレバーロックアームとに共通使用されるから、第２ハウジングのロック部の構造をコンパクトにまとめることができる。
【００２０】
＜請求項３の発明＞
レバーがロック解除方向と直交する方向に回動されて嵌合位置に至ると、レバーロックアームとロックアームとがロック解除方向と直交する方向に並んで配され、両ハウジングを離脱規制状態にロックする。また、レバーが嵌合位置に至ると、レバーロックアームに張り出し形成されたロック解除操作片がロックアームとロック解除方向で重なり合うように配置されるが、その状態からロック解除操作片をロックアーム側へ押し操作することにより、レバーロックアームとロックアームとをロック解除する。したがって、割合に簡単な構成をもってして第１ハウジングにレバーロックアームとロックアームとによるロック構造を設定することができる。
【００２１】
＜請求項４の発明＞
レバーが第１ハウジングに凹設されたレバー収容凹部の内面に形成された支持軸に回動可能に支持されるから、レバーの回動軸周りが異物から保護されることになり、レバーの回動動作の円滑性が保障される。
＜請求項５の発明＞
レバーが嵌合位置に至ると、ロック解除操作片が第１ハウジングに設けられた保護壁によって外側から覆われるので、ロック解除操作片が異物と干渉することでレバーロックアームがロック解除方向へ不用意に変位する事態を回避できる。
【発明を実施するための最良の形態】
【００２２】
＜参考例＞
以下、参考例を図１乃至図１２を参照して説明する。参考例のレバー式コネクタは、第１ハウジング１０と、第２ハウジング５０と、第１ハウジング１０に対して着脱可能とされたレバー３０とを備えて構成されている。
第１ハウジング１０は、合成樹脂製であって、全体として方形ブロック状をなしており、内部には雌端子金具（図示せず）が収容されるようになっている。第１ハウジング１０には、その上面（外面）に沿った形態のロックアーム１１が一体に形成されている。ロックアーム１１は、第１ハウジング１０の上面前端部から立ち上がって後方（両ハウジング１０，５０の嵌合・離脱方向と平行な方向）へ片持ち状に延出した形態である。ロックアーム１１は、その前端に設けた左右一対の脚部１２によって第１ハウジング１０の外面に支持されており、両脚部１２からは後方へ一対の片持ちアーム１３が延出され、片持ちアーム１３の後端部（延出端）同士が水平板状のロック解除操作部１４によって連結されている。両片持ちアーム１３における脚部１２とロック解除操作部１４との間の領域は、水平板状の連結部１５によって連結されており、連結部１５の上面にはロック突起１６が形成されている。両片持ちアーム１３と連結部１５とロック解除操作部１４によって囲まれた空間は、上下方向に貫通する形態の係止孔１７（本発明の構成要件であるレバーロック手段）となっている。
【００２３】
ロック解除操作部１４の左右両外側面には、一対の被当接部１８（本発明の構成要件であるロック解除手段）が、左右方向へ外向きに突出するように形成されている。被当接部１８の前面は、前方に向かって下り勾配となった傾斜状受け面１８Ｓ（本発明の構成要件である傾斜面）となっている。また、被当接部１８の上面、下面及び後面は、夫々、ロック解除操作部１４の上面、下面及び後面に対して面一状に連なっている。また、被当接部１８の傾斜状受け面１８Ｓは、ロック解除操作部１４の前面よりも後方に位置している。さらに、ロック解除操作部１４は、片持ちアーム１３に対して一段高い位置に配置されている。かかるロック解除操作部１４は、第１ハウジング１０の上面に形成した左右一対の保護壁１９によって挟まれた形態となっている。
【００２４】
かかるロックアーム１１は、弾性変形を生じていない自由状態では、片持ちアーム１３及びロック解除操作部１４と被当接部１８の上面を略水平（両ハウジング１０，５０の嵌合方向と略平行な方向）に向けた姿勢をとるが、脚部１２を支点として片持ちアーム１３及びロック解除操作部１４と被当接部１８の上面が斜めになるような形態で弾性変位し得るようになっている。
【００２５】
また、第１ハウジング１０の後端部は、それよりも前方の領域に比べて段差状に幅広となった形態の縦長の拡幅部２０となっている。この拡幅部２０の左右両外側面には、軸線を両ハウジング１０，５０の嵌合方向と直角に向けた一対の支持軸２１が突出形成されている。支持軸２１は円柱状をなし、各し支持軸２１の延出端部には、上下一対の抜止め突起２２が形成されている。また、拡幅部２０の左右両外側面における支持軸２１よりも下方の位置には、凹み状をなす一対の逃がし凹部２３が形成されている。また、拡幅部２０の段差状の前縁部はストッパ２４となっている。
【００２６】
レバー３０は、合成樹脂製であって、左右方向に長い回動操作部３１と、この回動操作部３１の左右両端から平行に且つ左右対称に延出する一対の板状をなすアーム部３６とを一体形成したものである。
尚、以下のレバー３０の構造説明における上下及び前後の方向については、レバー３０が第１ハウジング１０に対して嵌合位置に組み付けられている状態（図２及び図６を参照）を基準とする。
【００２７】
回動操作部３１は、全体としては水平板状をなす。回動操作部３１には、その前端縁から後方へ切欠した形態の一対の溝部３２が左右対称に形成されており、この両溝部３２の間の前方へ片持ち状に延出した形態の領域は、その上面前端から斜め上上方へ延出する角部を備えた弾性撓み片３３となっており、この弾性撓み片３３の下面前端には下方へ突出する係止片３４（本発明の構成要件であるレバーロック手段）が形成されている。
【００２８】
さらに、回動操作部３１には、その溝部３２の外側の側縁に沿って下方へ板状に延出する形態の一対の解除突部３５（本発明の構成要件であるロック解除手段）が左右対称に形成されている。解除突部３５は、側方（レバー３０の回動中心軸と平行な方向）から見ると、下方に向かって次第に幅狭となる（前後方向の寸法が小さくなる）形態の台形（概ね三角形）をなしている。解除突部３５の後縁は、前後方向（レバー３０が嵌合位置に至る直前における回動操作部３１の変位方向と略同方向）に対して斜めなす解除用係止面３５Ｓ（本発明の構成要件である傾斜面）となっている。
【００２９】
各アーム部３６には、左右方向に貫通する軸受孔３７が形成され、軸受孔３７の孔縁部には一対の切欠部３８が形成されている。また、各アーム部３６には、全体として、軸受孔３７を中心とする径方向及び周方向の両方向に対して斜めに且つほぼ一定幅で延びる形態のカム溝３９が、左右に貫通する形態で形成されている。カム溝３９の入り口３９Ｅは、アーム部３６の外周縁における下端部位置に開口されている。一方、カム溝３９の奥端部には、軸受孔３７と同心の円弧部３９Ｃが形成されている。さらに、各アーム部３６には、その外周縁に沿って片持ち状に延出する形態のロック片４０が形成されている。ロック片４０は、左右方向へ弾性変位し得るようになっており、弾性変位しない自由状態では、ロック片４０の延出端部がアーム部３６の内面よりも内側へ突出している。
【００３０】
第２ハウジング５０は、合成樹脂製であって、前方に突出する略角筒状のフード部５１を有している。フード部５１の内部には、雄端子金具５２の先端部が収容されている。フード部５１の左右両外側面には、軸線を左右方向に向けた一対の円柱状をなすカムフォロア５３が突出形成されている。また、カムフォロア５３の突出端部には、全周に亘って同心円形に張り出すフランジ部５４が形成されている。また、フード部５１の上面壁には、その内面（下面）における前端縁から下方（フード部５１の内側）へ突出するロック部５５が形成されている。
【００３１】
次に、参考例の作用を説明する。
第１ハウジング１０にレバー３０を組み付ける際には、レバー３０を、軸受孔３７を中心として嵌合位置の姿勢に対して回動操作部３１が斜め下後方へ変位した待機位置の姿勢とし、切欠部３８の位置を抜止め突起２２と対応すべく上下に位置させる。この状態で、回動操作部３１の両端部またはアーム部３６の基端部を撓ませつつアーム部３６が拡開するようにレバー３０を弾性変形させ、そのレバー３０を第１ハウジング１０に対して上下または前後方向へ相対移動させつつ、第１ハウジング１０の左右両外側面にアーム部３６を沿わせる状態（両アーム部３６が第１ハウジング１０を左右から挟む状態）とし、アーム部３６が閉じるようにレバー３０を弾性復帰させつつ、軸受孔３７を支持軸２１に嵌合させる。このとき、抜止め突起２２が切欠部３８を通過するようにする。以上により、レバー３０が第１ハウジング１０に対して待機位置に組み付けられる。この状態では、アーム部３６の内側面と第１ハウジング１０の外側面との間に、前方へ開放された嵌合スペース４１が形成される。
【００３２】
また、レバー３０を第１ハウジング１０から外す際には、レバー３０を待機位置にした状態で、両アーム部３６が拡開するようにレバー３０を弾性変形させつつ、軸受孔３７を支持軸２１から抜き取り、レバー３０を第１ハウジング１０に対して前後または上下に相対移動させればよい。このように、レバー３０は第１ハウジング１０に対して着脱が可能となっている。また、第１ハウジング１０に組み付けられたレバー３０は、待機位置と嵌合位置との間で約４５°の角度範囲で回動し得るようになっている。
【００３３】
レバー３０が第１ハウジング１０に対して待機位置に組み付けられた状態では、回動操作部３１が支持軸２１（軸受孔３７）に対して斜め上後方に位置し、カム溝３９の入り口３９Ｅが支持軸２１とほぼ同じ高さで前方に開口する。同じく、待機位置にある状態では、ロック片４０がストッパ２４に対して前方から係止することにより、レバー３０の嵌合位置側への回動が規制される。また、レバー３０が嵌合位置にある状態では、回動操作部３１が支持軸２１のほぼ真上に位置して、解除突部３５が被当接部１８に対して前方から当接するとともに、係止片３４が係止孔１７内に進入してその後側の孔縁に係止することにより、レバー３０の待機位置側への回動が規制される。尚、嵌合位置にある状態では、ロック片４０が逃がし凹部２３に進入して自由状態（弾性撓みしない状態）となる。また、レバー３０が待機位置と嵌合位置との間に位置する状態では、抜止め突起２２が切欠部３８から外れて軸受孔３７の孔縁部に係止することにより、アーム部３６の支持軸２１からの離脱が規制される。
【００３４】
レバー３０を第１ハウジング１０に組み付けた状態で両ハウジング１０，５０を嵌合する際には、ロック片４０とストッパ２４との係止により、レバー３０を待機位置に保持しておき、この状態で第２ハウジング５０のフード部５１を、嵌合スペース４１内に進入させつつ第１ハウジング１０に浅く外嵌させる。すると、図１に示すように、カムフォロア５３がカム溝３９の入り口３９Ｅに進入するとともに、ロックアーム１１の前端側の部分がフード部５１内に収容され、ロック部５５がロック突起１６に対してその前方から当接または接近した状態となる。また、フード部５１の前端縁が、嵌合スペース４１内に進出しているロック片４０に当接してロック片４０を外側へ弾性変位させることにより、ロック片４０がストッパ２４から解離する。これにより、ロック片４０とストッパ２４の係止による回動規制状態が解除され、レバー３０が待機位置から嵌合位置側への回動を許容される。
【００３５】
この状態から、レバー３０を嵌合位置側（図１における反時計回り方向）へ回動させると、カム溝３９とカムフォロア５３との係合によるカム作用により、両ハウジング１０，５０が互いに引き寄せられて嵌合が進み、両ハウジング１０，５０の嵌合の進行に伴って、ロック部５５とロック突起１６との干渉によりロックアーム１１が下方（第１ハウジング１０の上面に接近する方向）へ弾性撓みする。カム溝３９とカムフォロア５３の係合の過程では、フランジ部５４がカム溝３９の開口縁に対してアーム部３６の外面側から係止することにより、アーム部３６が拡開変位すること、即ちカム溝３９がカムフォロア５３から外れることが防止されている。
【００３６】
レバー３０の回動に伴って両ハウジング１０，５０の嵌合が進む過程では、回動操作部３１が、その板面（姿勢）を水平に近付くように変位させつつ、ロックアーム１１に対して後方から接近する。さらに、回動操作部３１（解除突部３５と係止片３４も含む）が、下方へ弾性変位しているロック解除操作部１４の上方を通過していく。また、ロック片４０は、外側へ弾性撓みしつつ、拡幅部２０の外側面を後方へ摺接する。
【００３７】
そして、レバー３０が嵌合位置の直前の解除位置まで回動されると、両ハウジング１０，５０が正規の嵌合状態に至る。このとき、解除突部３５が被当接部１８を下方へ押圧しているので、ロックアーム１１は、ロック突起１６をロック部５５から解離させるロック解除姿勢をとっている。この解除位置から、更にレバー３０を回動させると、レバー３０が嵌合位置に到達する。レバー３０が解除位置から嵌合位置に至る間、解除突部３５の解除用係止面３５Ｓと被当接部１８の傾斜状受け面１８Ｓとが摺接し、この傾斜によりロックアーム１１はロック解除姿勢から水平なロック姿勢（自由状態）へ徐々に復帰する。同じく、レバー３０が解除位置から嵌合位置に至る間は、カムフォロア５３がカム溝３９の円弧部３９Ｃ内を相対移動するので、カム溝３９とカムフォロア５３との間ではカム作用は発揮されず、したがって、両ハウジング１０，５０が嵌合・離間方向へ相対変位することはない。
【００３８】
レバー３０が嵌合位置に達した状態では、図２に示すように、レバー３０が嵌合位置に達した状態では、ロックアーム１１がロック姿勢に復帰し、ロック突起１６とロック部５５とが係止し、もって、両ハウジング１０，５０が離間方向への相対変位を規制された嵌合状態にロックされる。同じくレバー３０が嵌合位置に達した状態では、レバー３０の係止片３４がロックアーム１１の係止孔１７に係止することにより、レバー３０が、待機位置側（解除位置側）への戻りを規制されて嵌合位置にロックされる。尚、ロック片４０は、内側へ弾性復帰して逃がし凹部２３内に進入する。また、回動操作部３１はロック解除操作部１４の全体を上から覆い隠すように位置する。
【００３９】
次に、嵌合状態の両ハウジング１０，５０を離脱する手順を説明する。  
まず、弾性撓み片３３を上方へ持ち上げるように弾性変形させて係止片３４を係止孔１７の孔縁から解離させることにより、レバーロックを解除し、レバー３０の待機位置側への移動を許容する。そして、このレバーロック解除状態（弾性撓み片３３を持ち上げた状態）のまま、レバー３０を待機位置側（解除位置側）へ回動させる。レバー３０が嵌合位置から解除位置へ変位する過程では、図３に示すように、解除突部３５の解除用係止面３５Ｓが、傾斜状受け面１８Ｓに摺動しつつ被当接部１８を斜め下方へ押し、これにより、ロックアーム１１がロック解除操作部１４を下方へ変位させるように弾性変形するとともに、ロック突起１６がロック部５５から解離していく。そして、レバー３０が解除位置に達すると、図４に示すように、ロック突起１６とロック部５５との係止によるハウジングロック状態が解除されて、両ハウジング１０，５０が離間し得る状態となる。
【００４０】
尚、レバー３０が嵌合位置から解除位置まで回動する間、カムフォロア５３は支持軸２１（レバー３０の回動中心）と同心の円弧状をなす円弧部３９Ｃ内を相対移動するので、カム溝３９とカムフォロア５３との間ではカム作用が発揮されず、したがって、両ハウジング１０，５０は嵌合状態に保たれる。また、レバー３０が嵌合位置から待機位置側へ回動する間に、ロック片４０は、その内面の傾斜により弾性変形しつつ逃がし凹部２３の外へ移動する。
【００４１】
レバー３０が解除位置に達した後、更に、レバー３０を回動させると、カム溝３９とカムフォロア５３との係合によるカム作用により、両ハウジング１０，５０が次第に引き離されていく。この間、ロック突起１６の上面がロック部５５の下面と部分的に対応する状態になるまで、解除突部３５は被当接部１８の上面に当接してロックアーム１１をロック解除姿勢に保つ。そして、ロック突起１６とロック部５５が当接する状態に至った後は、レバー３０の回動に伴って解除突部３５が被当接部１８から外れるが、ロック突起１６は、その上面をロック部５５の下面に摺接させつつ、ロック部５５を通過することができる。したがって、ロック解除操作部１４をロック解除操作する必要はない。
【００４２】
そして、レバー３０が待機位置に達すると、カムフォロア５３が、カム溝３９の入り口３９Ｅに到達して、カム溝３９の外部へ離脱可能な状態となる。また、ロック片４０がストッパ２４に係止することにより、レバー３０は嵌合位置側への回動を規制された状態（待機位置に保持された状態）にロックされる。この後は、両ハウジング１０，５０を離間させればよい。
【００４３】
参考例のレバー式コネクタは、レバー３０が第１ハウジング１０に対して着脱可能となっており、レバー３０を第１ハウジング１０から外した状態でも、両ハウジング１０，５０の嵌合状態を成立させることができる。この場合は、嵌合スペース４１にフード部５１を嵌入し、そのまま、両ハウジング１０，５０を接近させればよい。
両ハウジング１０，５０が嵌合する過程では、ロック突起１６とロック部５５との干渉によりロックアーム１１がロック解除姿勢へ弾性撓みする。そして、両ハウジング１０，５０が嵌合状態に到達すると、弾性撓みしていたロックアーム１１が弾性復帰してロック突起１６とロック部５５とが係止することにより、両ハウジング１０，５０が離脱規制状態にロックされるとともに、フード部５１の先端が拡幅部２０の段差状の前端縁（ストッパ２４）に突き当たることにより、両ハウジング１０，５０の嵌合方向への相対変位（接近動作）が規制された前止まり状態となり、両ハウジング１０，５０が嵌合状態にロックされる。
この嵌合状態にあるハウジング１０，５０を離脱させる際には、フード部５１の外部に露出しているロック解除操作部１４を下方へ押し下げるようにしてロック解除操作を行い、ロック突起１６をロック部５５から解離させ、ロックアーム１１によるロック状態を解除する。そして、このロック解除状態のままで両ハウジング１０，５０を引き離せばよい。
【００４４】
上述のように、参考例においては、レバー３０を第１ハウジング１０に取り付けた状態で両ハウジング１０，５０を嵌合すると、ロックアーム１１とロック部５５との係止により両ハウジング１０，５０が嵌合状態にロックされ、レバー３０を第１ハウジング１０から外した状態で両ハウジング１０，５０を嵌合した場合も、ロックアーム１１とロック部５５との係止により両ハウジング１０，５０が嵌合状態にロックされる。参考例のレバー式コネクタは、レバー無しのコネクタとして兼用できるとともに、レバー無しの状態でもハウジング同士を嵌合状態にロックすることができる。
【００４５】
また、レバー３０を用いて両ハウジング１０，５０を嵌合した状態においては、レバー３０を嵌合位置から待機位置側へ回動（変位）させる操作を行えば、ロック解除手段（解除突部３５、被当接部１８）によってロックアーム１１がロック部５５から解離するので、レバー３０の操作とは別にロックアーム１１をロック解除させる操作を行う必要がなく、作業性に優れている。
【００４６】
また、第１ハウジング１０とレバー３０には、レバー３０が嵌合位置へ変位した状態において、互いに係止することでレバー３０を待機位置側への変位を規制するレバーロック手段（係止孔１７、係止片３４）が設けられているので、両ハウジング１０，５０を嵌合状態に確実にロックすることができる。
【００４７】
また、レバー３０側のロック解除手段である解除突部３５とロックアーム１１側のロック解除手段である被当接部１８には、相手側のロック解除手段に当接可能な傾斜面（解除用係止面３５Ｓ、傾斜状受け面１８Ｓ）が形成されているので、レバー３０を待機位置側へ変位させたときのロックアーム１１のロック解除方向への変位動作が円滑に行われる。
【００４８】
また、ロックアーム１１が片持ち状に延出する形態とされていることに着目し、ロックアーム１１の延出端部にロック解除手段である被当接部１８が設けられている。このように、ロックアーム１１側のロック解除手段がロックアーム１１の延出端部に配置されているので、ロックアーム１１の基端部側にロック解除手段が配置されているものに比べると、レバー３０側のロック解除手段からロックアーム１１側のロック解除手段に対して付与すべき押圧力が小さくて済む。
【００４９】
また、両ハウジング１０，５０がロックされた状態では、レバー３０の回動操作部３１がロックアーム１１のロック解除操作部１４を覆い隠す形態とされているので、異物がロック解除操作部１４に干渉することに起因してロックアーム１１がロック解除方向へ動かされる虞がない。
【００５０】
＜実施形態１＞
本発明の実施形態１を図１３ないし図２７によって説明する。本実施形態のレバー式コネクタは、参考例と同様に、互いに嵌合可能な第１ハウジング１０と第２ハウジング５０とを備え、第１ハウジング１０にはレバー３０が着脱可能に取り付けられている。尚、実施形態１は符号に関して参考例と重複する部分を有するが、符号が同じであっても両者の形態及び作用まで同じであるとは限らず、参考例とは無関係に符号付けされている。
【００５１】
第１ハウジング１０は合成樹脂製であって、図１９ないし図２２に示すように、全体として方形ブロック状をなし、その内部には電線Ｗに接続された大小２種類の雌端子金具９０を収容可能なキャビティ１１が貫通して形成されている。キャビティ１１は、上下２段に分かれて幅方向に複数列となって配置され、その内壁に雌端子金具９０を抜け止め状態で保持するランス１２が撓み変形可能に形成されている。第１ハウジング１０には、その下面から両側面にかけてリテーナ差込孔１４が開口して形成されている。リテーナ差込孔１４には下方からサイドタイプのリテーナ９５が差し込まれ、このリテーナ９５と上記したランス１２とにより雌端子金具９０の二重の抜け止めがなされる。
【００５２】
第１ハウジング１０には、上段のキャビティ１１よりも上位に、幅方向に扁平であって後面に開口するレバー収容凹部１３が凹設されている。レバー収容凹部１３には後方からレバー３０がスライド挿入され、その内面に突設された円柱状の支持軸１５にレバー３０が回動可能に支持される。支持軸１５は、正面から見て第１ハウジング１０の右端寄りの位置に配置されている。
【００５３】
また、第１ハウジング１０の上面には、支持軸１５とは反対側となる左端寄りの位置に、前後方向に延びるロックアーム１６が設けられている。ロックアーム１６は、レバー収容凹部１３の上壁を構成する薄肉状の覆い壁１０Ａを切り欠くことによって後方へ向けて片持ち状でかつ撓み変形可能に延出する形態とされ、その両側に、後面に開口する切り欠き空間を有している。切り欠き空間のうちロックアーム１６を挟んで左側に位置するものは、図１３に示すように、前後方向にスリット状をなすスリット空間１６Ａとされる。一方、切り欠き空間のうちロックアーム１６を挟んで右側に位置するものは、レバー３０の回動軌跡に沿った円弧状をなす切り欠き縁１６Ｅにより区画され、レバー３０の回動途上においてレバーロックアーム３１（後述する）がここに進入することで覆い壁１０Ａと衝突するのを回避する逃がし空間１６Ｂとなっている。さらに、第１ハウジング１０の上面には、その前端から逃がし空間１６Ｂの前縁にかけて前後方向に延びる剛性強化のためのリブ１７が立設されている。
【００５４】
ロックアーム１６の上面には、延出方向途中でかつ幅方向中央よりも左側に、ハウジングロック突起１８が形成されている。また、ロックアーム１６の上面には、延出方向後端でかつ幅方向中央よりも右側に、レバー３０と戻り方向で係合可能な係合突部１９が形成されている。係合突部１９は、側方から見ると上方に向かって次第に幅狭となる台形状をなし、その後縁が前方に向かって昇り勾配となる嵌合案内面１９Ａとされ、その前縁が後方に向かって昇り勾配となる離脱案内面１９Ｂとされる。さらに、第１ハウジング１０の上面後端部には、その両側縁部に根元を接続させつつ幅方向にアーチ状をなす保護壁２１が架設されている。保護壁２１は、レバー３０の装着時に、レバーロックアーム３１に設けられたロック解除操作片３２の上方を覆うことでロック解除操作片３２を外部異物から保護する役割を果たす。
【００５５】
第１ハウジング１０の覆い壁１０Ａには、その前縁に開口して前後方向に延びるカムフォロアガイド溝２２が切り欠き形成されている。このカムフォロアガイド溝２２は、両ハウジング１０，５０の嵌合時に、相手の第２ハウジング５０に形成されたカムフォロア５１の基端部がここに進入して両ハウジング１０，５０の嵌合動作を案内可能とされている。カムフォロアガイド溝２２と支持軸１５とは前後方向に沿った同一直線上に並んで配置されている。また、第１ハウジング１０の前面にはカムフォロアガイド溝２２とレバー収容凹部１３の内部空間の両者に連なる窓部２３が開設され、ここを通してカムフォロア５１の先端部がレバー収容凹部１３の内部に進入可能とされている。
【００５６】
第１ハウジング１０のレバー収容凹部１３の内面側方には、回動開始前のレバー３０を保持するためのストッパ２４が突設されている。第１ハウジング１０の覆い壁１０Ａには、ストッパ２４の前方を開放しつつ前後方向に延びるガイドリブ受け溝２５が切り欠き形成され、このガイドリブ受け溝２５に相手の第２ハウジング５０のガイドリブ５２が進入可能とされている。
【００５７】
レバー３０は、合成樹脂製であって一枚板状をなし、図１６に示すように、第１ハウジング１０側のレバー収容凹部１３内に収まる形態のレバー本体３０Ａを備えている。レバー本体３０Ａのうち図示する右側領域には、第１ハウジング１０側の支持軸１５に嵌合可能な円形状の軸受孔３３が貫設され、また、軸受孔３３の近傍位置には、レバー本体３０Ａの外周縁に開口して緩い弧状で所定方向に延出するカム溝３４が切り欠き形成されている。レバー本体３０Ａの下面には、カム溝３４の側縁に開口しつつ軸受孔３３に向かって延出する係合案内溝３５が凹設されている。レバー収容凹部１３にレバー３０を装着する際、係合案内溝３５の溝面に支持軸１５を摺接させると、レバー本体３０Ａの変位量が少なくなり、レバー３０の装着作業を円滑に行うことができる。
【００５８】
かかるレバー３０は、軸受孔３３に支持軸１５を貫通させた状態でこの支持軸１５を中心として待機位置（回動開始位置）と嵌合位置（回動完了位置）との間を図１６に示す反時計回りに回動可能とされている。カム溝３４に近接するレバー本体３０Ａの外周縁には、その外周縁と略平行に切り入れられたスリット３６Ａを介することで後方へ向けて片持ち状に延出する形態のロック片３６が形成されている。ロック片３６の先端部には係止爪３７が形成され、この係止爪３７が第１ハウジング１０側のストッパ２４と係止することによってレバー３０が待機位置に留め置かれる。一方、両ハウジング１０，５０の嵌合に伴い係止爪３７と第２ハウジング５０のガイドリブ５２との干渉によってロック片３６がスリット３６Ａ側に撓み変形することによってレバー３０の回動操作が許容される。
【００５９】
そして、レバー３０のうち図示する左側領域には、右側領域と比べて薄肉とされた薄肉部３８が形成されている。薄肉部３８は、図２４に示すように、その上面が除肉されることによって周囲から一段落ちるように薄肉化されており、その右端寄りの位置に、前後方向に延出するレバーロックアーム３１を備えている。レバーロックアーム３１は、図２３に示すように、その前端部を薄肉部３８の境界にて厚肉方向に傾斜するテーパ面３８Ａに接続させつつ上方に少し立ち上げられたあと後方へ向けて片持ち状に延出する形態とされ、その前端部を支点として厚み方向に撓み変形可能とされている。レバーロックアーム３１の延出途中には、レバーロック突起３９が全幅に亘って形成されている。
【００６０】
レバーロックアーム３１の後端部には、その上面がレバーロック突起３９の上面とほぼ同じ高さとなるまで引き上げられたステージ部４１が形成されており、このステージ部４１の上端部から右側方へ向けてロック解除操作片３２が張り出し形成されている。レバー３０が回動操作を終えて嵌合位置に至ると、レバーロックアーム３１とロックアーム１６とが幅方向でほぼ隙間無く並んで配されるとともに、両者共、第２ハウジング５０に設けられたロック部５３と弾性係止して両ハウジング１０，５０を離脱規制状態にロックする。またレバー３０が嵌合位置にあるとき、ロック解除操作片３２がロックアーム１６の上方を覆うように配され、その状態からロック解除操作片３２を押し操作することにより、レバーロックアーム３１をロックアーム１６とともにロック部５３から解離させる方向へ撓み変形させてロック解除することが可能とされる。すなわち、ロック解除操作片３２とこれに対向するロックアーム１６の受け面とにより、本発明のロック解除手段が構成される。
【００６１】
レバー本体３０Ａには、ステージ部４１の右側面に沿うようにこのステージ部４１と並んで前後方向に延びる保護リブ４２が立設されている。保護リブ４２とステージ部４１はその前後位置及び高さ位置がほぼ同じ位置に揃えられ、ステージ部４１は保護リブ４２によって保護された状態にある。レバー本体３０Ａのうちステージ部４１を挟んで保護リブ４２と反対側の左端縁には、レバー３０を回動操作する際に摘み持たれる摘み部４３が形成されている。摘み部４３は、その上端がステージ部４１の上端よりも上位にあって幅方向に沿った縦壁状をなし、てこの作用を考慮してカム溝３４から最も離れた位置に設定されている。そして、摘み部４３は、レバー３０が嵌合位置に至ったときにロックアーム１６をレバーロックアーム３１との間に挟み込むように配置され、ロックアーム１６の幅方向の遊動を規制する役割を果たしている。尚、第１ハウジング１０の保護壁２１には、ステージ部４１に通じることでロック解除操作を可能とした逃がし凹部２１Ａが後縁に開口して形成されているとともに、レバー３０が嵌合位置に至ったときに摘み部４３の進入を許容する摘み部収容凹部２１Ｂが逃がし凹部２１Ａに連なって形成されている。
【００６２】
第２ハウジング５０は合成樹脂製であって、図２５ないし図２７に示すように、前方へ突出する略角筒状のフード部５４を備えている。第１ハウジング１０はフード部５４の内部に嵌入可能とされている。フード部５４の内部には、幅方向に扁平な大小２種類の雄端子金具８０の先端部が収容されている。フード部５４の内側面の上面には、正面から見た左端寄りの位置に、カムフォロア５１が垂設されている。カムフォロア５１は、軸線を鉛直方向に向けた円柱状をなし、その突出端部に同心状に張り出すフランジ部５５を有している。フランジ部５５がレバー３０の下面においてカム溝３４の側縁に沿設された抜け止め凹部３４Ａに摺動することにより、カム動作の円滑性が保障されている。
【００６３】
フード部５４の内側面の上面のうちカムフォロア５１よりも左側には縦壁状をなすガイドリブ５２が垂設されている。また、フード部５４の内側面の上面前端部には、右端寄りの位置に、先端爪状をなすロック部５３が設けられ、このロック部５３の後方には型抜き溝５６が開放されている。ロック部５３の後面は、先端に向かうにつれ後退する逆テーパ状をなし、これによりロックアーム１６とレバーロックアーム３１の両者に強固に係止可能とされる。また、ロック部５３は、幅方向でロックアーム１６とレバーロックアーム３１の双方と係止可能となるよう幅広に形成されており、その幅方向途中に、第１ハウジング１０のリブ１７との干渉を回避するためのリブ逃がし部５７が凹設されている。
【００６４】
次に、本実施形態の作用を説明する。まず、第１ハウジング１０にレバー３０を組み付けるには、略水平姿勢となしたレバー３０をレバー収容凹部１３に対し後方からスライド挿入し、レバー３０の係合案内溝３５の溝面にレバー収容凹部１３の内面に突設された支持軸１５を摺動させたあと支持軸１５をレバー３０の軸受孔３３に嵌入させる。レバー３０の挿入途中では、レバー３０が支持軸１５に押しやられて上方へ僅かに浮き上がるが、第１ハウジング１０の覆い壁１０Ａが撓み変形してレバー３０の浮き上がり量を吸収することにより、支持軸１５に対するレバー３０の乗り越えが可能とされる。また、レバー３０の挿入途中ではロック片３６がストッパ２４と干渉してスリット３６Ａ側に撓み変形させられ、レバー３０が待機位置に至るやロック片３６が弾性復元してストッパ２４の後面に係止可能とされ、これによりレバー３０の嵌合位置への回動が規制される。
【００６５】
レバー３０が待機位置に組み付けられた状態では、カム溝３４の入り口とカムフォロアガイド溝２２の入り口とが適合した状態となり、両入り口が上方に向けて開放される。また、レバー３０が待機位置に組み付けられた状態では、摘み部４３とロック解除操作片３２とが第１ハウジング１０の後面よりも後方に露出して配される。この状態から第２ハウジング５０のフード部５４を第１ハウジング１０に浅く外嵌させる。すると、図１３及び図１６に示すように、カムフォロア５１が窓部２３を通してカムフォロアガイド溝２２とカム溝３４の両入り口に進入するとともに、ロックアーム１６の前端部がフード部５４内に収容され、ロック部５３がハウジングロック突起１８に近接位置する。また、第２ハウジング５０のガイドリブ５２が第１ハウジング１０のガイドリブ受け溝２５に進入してロック片３６の係止爪３７と当接し、さらに両ハウジング１０，５０の嵌合が進むと、ガイドリブ５２がロック片３６をスリット３６Ａ側へ押しやってロック片３６とストッパ２４との係止状態を解除する。これにより、ロック片３６とストッパ２４との回動規制状態が解除され、嵌合位置へのレバー３０の回動が許容される。
【００６６】
この状態から摘み部４３を摘んでレバー３０を嵌合位置側へ回動させると、カム溝３４とカムフォロア５１との係合によるカム作用により、両ハウジング１０，５０が互いに引き寄せられて嵌合が進み、両ハウジング１０，５０の嵌合の進行に伴ってロック部５３とハウジングロック突起１８との干渉によりロックアーム１６が下方へ弾性撓みする。このとき、ロックアーム１６の下方にレバー３０の薄肉部３８が位置することで、ロックアーム１６と薄肉部３８との間にロックアーム１６の撓み空間が確保され、ロックアーム１６の撓み動作が許容される。レバー３０の回動過程では、レバーロックアーム３１が円弧状の切り欠き縁１６Ｅに沿うよう変位して逃がし空間１６Ｂの内部へ少しずつ入り込む。
【００６７】
レバー３０が嵌合位置の直前位置まで回動されると、ロックアーム１６に遅れて、ロック部５３とレバーロックアーム３１のレバーロック突起３９との干渉によりレバーロックアーム３１が下方へ弾性撓みする。また、ロック解除操作片３２がロックアーム１６の係合突部１９の嵌合案内面１９Ａに摺接したあと係合突部１９を乗り越える。そして、レバー３０が嵌合位置に至ると、図１４及び図１７に示すように、ロックアーム１６とレバーロックアーム３１とがほぼ同時に弾性復帰して幅方向に並んで配されるとともに、ハウジングロック突起１８とレバーロック突起３９が前後位置を揃えて配される。これに伴いロック部５３の幅方向一側（正面から見た左側）に対しハウジングロック突起１８が係止可能とされるとともにロック部５３の幅方向他側（正面から見た右側）に対しレバーロック突起３９が係止可能とされ、もって両ハウジング１０，５０が離間方向への相対変位を規制された状態に強固にロックされる。
【００６８】
また、レバー３０が嵌合位置に至ると、レバー３０の略全体が第１ハウジング１０からはみ出すことなくレバー収容凹部１３に収められるとともに、ロック部５３と保護壁２１とが前後方向で対面して両者の外側面が面一で連なる。さらに、レバー３０が嵌合位置に至ると、図１５に示すように、ロック解除操作片３２が係合突部１９の離脱案内面１９Ｂと密接状態で当たり合いながらロックアーム１６の上面に当着するとともに、ロック解除操作片３２の上方が保護壁２１によって覆い隠され、かつ、ロック解除操作片３２を除いたレバーロックアーム３１が逃がし凹部２１Ａを通して視認可能とされる。この状態でレバー３０を待機位置へ戻り操作しようとしても、レバーロック突起３９とロック部５３とが係止し合うとともにロック解除操作片３２と係合突部１９とが係止し合うことにより、レバー３０の戻り操作が規制される。
【００６９】
次に、嵌合状態にある両ハウジング１０，５０を離脱する手順を説明する。まず、逃がし凹部２１Ａから手指もしくは治具を差し入れてこの手指等でステージ部４１を押し下げることにより、レバーロックアーム３１を弾性変形させる。すると、レバーロック突起３９がロック部５３から解離するとともに、ロック解除操作片３２に押されてロックアーム１６が押し下げられ、それに伴ってハウジングロック突起１８がロック部５３から解離する。尚、ステージ部４１を押し操作するに際し、ステージ部４１の後端にて幅方向に形成された操作リブ４１Ａが引掛りとなるので、作業性が良好となる。
【００７０】
以上により、両ハウジング１０，５０のロック状態が解除されるとともにレバー３０の待機位置への戻り操作が許容されるので、このレバーロック解除状態を保ってレバー３０を待機位置側へ回動させる。レバー３０が待機位置に向かう回動初期状態では、ロック解除操作片３２が係合突部１９の離脱案内面１９Ｂに摺動しつつ係合突部１９を通過し、この通過に伴いロックアーム１６が元の水平姿勢に弾性復元する。また、レバーロック突起３９とハウジングロック突起１８とがロック部５３を通過した後はステージ部４１の押し下げ操作を行う必要はなく、レバーロックアーム３１を元の水平姿勢に復元させて構わない。
【００７１】
レバー３０が待機位置に達すると、両ハウジング１０，５０が互いに離間されるとともに、ロック片３６がストッパ２４を弾性係止して、レバー３０が嵌合位置への回動を規制された状態に保持される。あとは両ハウジング１０，５０を互いに引き離せばよい。
【００７２】
次に、レバー無しの状態で両ハウジング１０，５０を嵌合する手順を説明する。まず、第１ハウジング１０からレバー３０を取り外すべく、ロック片３６とストッパ２４とによる係合状態を解除してレバー３０を嵌合位置側へ回動させたあと覆い壁１０Ａを拡開変形させる等してレバー３０の軸受孔３３から支持軸１５を離脱させ、その状態でレバー３０を後方へ引張ってレバー収容凹部１３から引き抜く。これにより、レバー３０は第１ハウジング１０から外される。続いて、第１ハウジング１０に対しその前方から第２ハウジング５０を接近させ、第２ハウジング５０のフード部５４を第１ハウジング１０に外嵌する。すると、図１８に示すように、ロック部５３とハウジングロック突起１８との干渉によってロックアーム１６がレバー３０の収容されていないレバー収容凹部１３の内部に弾性変位する。さらに両ハウジング１０，５０の嵌合が進むと、図１９に示すように、ロック部５３がハウジングロック突起１８を通過してロックアーム１６が弾性復元し、それに伴ってロック部５３がハウジングロック突起１８の後面に対面して両ハウジング１０，５０が離脱規制状態にロックされる。
【００７３】
以上のように本実施形態によれば、レバー３０を第１ハウジング１０に取り付けた状態で両ハウジング１０，５０を嵌合すると、ロック部５３がロックアーム１６とレバーロックアーム３１の両者に係止されて両ハウジング１０，５０が嵌合状態にロックされ、さらにレバー３０を第１ハウジング１０から外した状態で両ハウジング１０，５０を嵌合した場合も、ロック部５３がロックアーム１６に係止されて両ハウジング１０，５０が嵌合状態にロックされる。よって、本実施形態のレバー式コネクタは、レバー無しのコネクタとして兼用でき、レバー無しの状態でもハウジング１０，５０同士を嵌合状態にロックすることができる。
【００７４】
また、レバー３０を用いて両ハウジング１０，５０を嵌合した状態においては、レバー３０のロック解除操作片３２をロック解除方向（本実施形態の場合は下方）へ押し操作することにより、ロックアーム１６がロック解除操作片３２に押されてロック部５３から解離するので、レバー３０の操作とは別にロックアーム１６をロック解除させる操作を行う必要がなく、作業性に優れている。
【００７５】
また、両ハウジング１０，５０を嵌合した状態では、ロック部５３に対してロックアーム１６とレバーロックアーム３１の両者が係止するから、両ハウジング１０，５０間の係止力を高めることができ、両ハウジング１０，５０を離脱規制状態に確実にロックすることができる。しかも、ロックアーム１６とレバーロックアーム３１とが隙間なく並列して配され、相手側のロック部５３を共通使用しているので、相手側のロック部５３の設定領域を格別に大きくしたり分割したりする必要がなく、第２ハウジング５０のロック部５３の構造を簡素化できる。
【００７６】
また、レバー３０の回動方向がロックアーム１６及びレバーロックアーム３１の撓み方向と直交する方向に設定され、レバー３０が嵌合位置に達したときにはレバーロックアーム３１のロック解除操作片３２がその撓み方向でロックアーム１６と重なり合うように設定されることにより、ロック解除操作片３２の解除操作に基づいてレバーロックアーム３１とロックアーム１６の両者のロック状態を解除可能となっているから、第１ハウジング１０の構造を格別に複雑化させることもない。
【００７７】
また、レバー３０がレバー収容凹部１３の内面に形成された支持軸１５に回動可能に支持されるから、レバー３０の軸受孔３３にゴミ等が付着するのを防止でき、レバー３０の回動動作の円滑性が保障される。さらに、レバー３０が嵌合位置に至ると、ロック解除操作片３２が第１ハウジング１０に設けられた保護壁２１によって外側から覆われるので、ロック解除操作片３２が異物と干渉することによってレバーロックアーム３１がロック解除方向に不用意に弾性変位する事態を回避できる。
【００７８】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）実施形態１ではレバーを回動するようにしたが、本発明は、レバーが直線的にスライドするレバー式コネクタにも適用できる。
（２）実施形態１ではロックアームをレバーの取付け母体である第１ハウジングに設け、ロック部を第２ハウジングに設けたが、本発明によれば、ロックアームを第２ハウジングに設け、ロック部をレバーの取付け母体である第１ハウジングに設けてもよい。
（３）実施形態１ではロックアームを片持ち状に延出する形態としたが、本発明によれば、ロックアームは、両端支持形態としてもよい。
（４）実施形態１ではロックアーム側のロック解除手段をロックアームの延出端部に設けたが、本発明によれば、ロックアーム側のロック解除手段をロックアームの基端側の位置に配置してもよい。
（５）実施形態１では、ロック解除操作片がロックアームに直接当接してロックアームをロック解除方向へ弾性変位させていたが、本発明によれば、ロック解除操作片が他の部材を介して間接的にロックアームをロック解除方向へ弾性変位させる構成としてもよい。
（６）実施形態１では、レバーが嵌合位置に至ったときに、ロック解除操作片がロックアームに当接していたが、本発明によれば、レバーが嵌合位置に至ったときに、ロック解除操作片がその撓み方向でロックアームと重なり合っていればよく、必ずしも両者が当たり合っている必要はない。
（７）実施形態１では、レバーが嵌合位置に至ったときに、ロックアームとレバーロックアームとがほぼ隙間なく並列するように配されたが、本発明によれば、レバーが嵌合位置に至ったときに、ロックアームとレバーロックアームとが隙間をあけて配されてもよい。
（８）実施形態１では、ハウジングロック突起はロックアームの全幅のうちの略半分の係止代をもって形成されていたが、本発明によれば、ハウジングロック突起はロックアームの全幅に亘る係止代をもって形成されてもよい。
（９）実施形態１では、ロックアームに係合突部が設けられていたが、本発明によれば、ロックアームに係合突部を設けなくてもよい。
【図面の簡単な説明】
【００７９】
【図１】参考例においてレバーが待機位置にある状態をあらわす一部切欠側面図
【図２】レバーが嵌合位置へ回動して両ハウジングが嵌合した状態をあらわす一部切欠側面図
【図３】レバーを回動して両ハウジングのロックを解除する過程をあらわす一部切欠側面図
【図４】レバーの回動により両ハウジングのロックが解除された状態をあらわす一部切欠側面図
【図５】第１ハウジングの正面図
【図６】第１ハウジングの側面図
【図７】第１ハウジングの底面図
【図８】レバーを外した状態をあらわす第１ハウジングの正面図
【図９】レバーを外した状態をあらわす第１ハウジングの平面図
【図１０】レバーの正面図
【図１１】レバーの平面図
【図１２】第２ハウジングの水平断面図
【図１３】実施形態１においてレバーが待機位置にある状態をあらわす横断面図
【図１４】レバーを嵌合位置へ回動して両ハウジングが嵌合した状態をあらわす横断面図
【図１５】図１４のＡ−Ａ断面図
【図１６】レバーが待機位置にある状態をあらわす一部切欠平面図
【図１７】レバーを嵌合位置へ回動して両ハウジングが嵌合した状態をあらわす一部切欠平面図
【図１８】レバー無しのときに両ハウジングが嵌合する途中の状態をあらわす側断面図
【図１９】レバー無しのときに両ハウジングが嵌合した状態をあらわす側断面図
【図２０】レバーを外したときの第１ハウジングの正面図
【図２１】レバーを外したときの第１ハウジングの背面図
【図２２】レバーを装着したときの第１ハウジングの背面図
【図２３】レバーの側面図
【図２４】レバーの正面図
【図２５】第２ハウジングの正面図
【図２６】ロック部をあらわす第２ハウジングの側断面図
【図２７】カムフォロアをあらわす第２ハウジングの側断面図
【符号の説明】
【００８０】
１０…第１ハウジング
１１（１６）…ロックアーム
１４…ロック解除操作部
１７…係止孔（レバーロック手段）
１８…被当接部（ロック解除手段）
１８Ｓ…傾斜状受け面（傾斜面）
３０…レバー
３４…係止片（レバーロック手段）
３５…解除突起（ロック解除手段）
３５Ｓ…解除用傾斜面（傾斜面）
３９（３４）…カム溝
５０…第２ハウジング
５３（５１）…カムフォロア
５５（５３）…ロック部
【図１】
0004760156.tif 000002
【図２】
0004760156.tif 000003
【図３】
0004760156.tif 000004
【図４】
0004760156.tif 000005
【図５】
0004760156.tif 000006
【図６】
0004760156.tif 000007
【図７】
0004760156.tif 000008
【図８】
0004760156.tif 000009
【図９】
0004760156.tif 000010
【図１０】
0004760156.tif 000011
【図１１】
0004760156.tif 000012
【図１２】
0004760156.tif 000013
【図１３】
0004760156.tif 000014
【図１４】
0004760156.tif 000015
【図１５】
0004760156.tif 000016
【図１６】
0004760156.tif 000017
【図１７】
0004760156.tif 000018
【図１８】
0004760156.tif 000019
【図１９】
0004760156.tif 000020
【図２０】
0004760156.tif 000021
【図２１】
0004760156.tif 000022
【図２２】
0004760156.tif 000023
【図２３】
0004760156.tif 000024
【図２４】
0004760156.tif 000025
【図２５】
0004760156.tif 000026
【図２６】
0004760156.tif 000027
【図２７】
0004760156.tif 000028